(57)【特許請求の範囲】
【請求項１】
平坦面上に重ねた状態のシート材を切断自在な切断刃を、装置本体に設けてあるシート切断装置であって、
前記切断刃による前記シート材の切断方向に沿って前記装置本体を進行操作して前記切断刃で前記シート材を切断させるハンドル部を、前記装置本体と一体的に設けてあり、前記装置本体には、前記切断刃によるシート材の切断時に前記シート材と前記平坦面との間に位置することで前記平坦面を切断刃からガードするガード部材が一体に設けてあり、前記ガード部材は、前記切断方向に沿って細長く、且つ、前記平坦面上に面接当自在な板状部材で構成してあると共に、前記切断方向での先端部に、下面が先端側ほど上がった傾斜面部を形成してあり、前記ハンドル部は、前記装置本体に対して一方向に傾斜した状態に取り付けてあり、その取付部には、前記装置本体の平面視における前記ハンドル部の取付方向を変更自在な取付方向変更手段が設けてあるシート切断装置。
【請求項２】
平坦面上に重ねた状態のシート材を切断自在な切断刃を、装置本体に設けてあるシート切断装置であって、
前記切断刃による前記シート材の切断方向に沿って前記装置本体を進行操作して前記切断刃で前記シート材を切断させるハンドル部を、前記装置本体と一体的に設けてあり、前記装置本体には、前記切断刃によるシート材の切断時に前記シート材と前記平坦面との間に位置することで前記平坦面を切断刃からガードするガード部材が一体に設けてあり、前記ガード部材は、前記切断方向に沿って細長く、且つ、前記平坦面上に面接当自在な板状部材で構成してあると共に、前記切断方向での先端部に、下面が先端側ほど上がった傾斜面部を形成してあり、前記ガード部材より上方に離間させて、前記ガード部材より幅広の板部が設けてあり、前記板部の側縁部の端面部には、接当物に対する摩擦軽減材が設けてあるシート切断装置。
【発明の詳細な説明】
【技術分野】
【０００１】
本発明は、平坦面上に重ねた状態のシート材を切断自在な切断刃を、装置本体に設けてあるシート切断装置に関する。
【背景技術】
【０００２】
従来、この種のシート切断装置としては、図９、図１０に示すように、装置本体５の先端側に切断刃６を取り付けて構成された所謂『カッターナイフ』があった（例えば、特許文献１参照）。
【０００３】
【特許文献１】特開２００３−２５１０８４号公報（図１、図２）
【発明の開示】
【発明が解決しようとする課題】
【０００４】
上述した従来のシート切断装置によれば、平坦面上に重ねたシート材を切断する際、シート材の上から切断刃を押し当てて、シート材を突き抜けた状態で切断方向に沿って移動させることで、シート材を切断刃の両側方に切り分けることができる。
しかし、上述の切断工程においては、図１０に示すように、切断刃６の先端部はシート材Ｓを突き抜けて下方の平坦面４に当接するから、例えば、前記平坦面４が、別のシート材や、傷の付き易い材料で形成されている場合、上に重なったシート材Ｓの切断軌跡に沿って前記平坦面４も、切れたり傷ついたりする危険性がある。
従って、これを防止するために、図１１に示すように、予め、シート材Ｓの切断予定軌跡の下方に、例えば、金属板や他の材料で形成された下敷き部材２０を配置しておき、その状態で前記シート材Ｓの切断を行わなければならなかった。
従って、下敷き部材を平坦面とシート材との間に配置しておく手間や、シート材の切断の後、その下敷き部材を抜きとらなければならず、切断に手間が掛かるという問題点があった。そして、切断距離が長い場合には、この下敷き部材の設置作業や抜き取り作業を何回も繰り替えさなければならないから、より手間が掛かっていた。
【０００５】
従って、本発明の目的は、上記問題点を解消し、切断対象のシート材の下方に位置している平坦面を構成する部材が、切断によって切れたり傷ついたりし難いシート切断装置を提供するところにある。
【課題を解決するための手段】
【０００６】
本発明の第１の特徴構成は、平坦面上に重ねた状態のシート材を切断自在な切断刃を、装置本体に設けてあるシート切断装置において、前記切断刃による前記シート材の切断方向に沿って前記装置本体を進行操作して前記切断刃で前記シート材を切断させるハンドル部を、前記装置本体と一体的に設けてあり、前記装置本体には、前記切断刃によるシート材の切断時に前記シート材と前記平坦面との間に位置することで前記平坦面を切断刃からガードするガード部材が一体に設けてあり、前記ガード部材は、前記切断方向に沿って細長く、且つ、前記平坦面上に面接当自在な板状部材で構成してあると共に、前記切断方向での先端部に、下面が先端側ほど上がった傾斜面部を形成してあり、前記ハンドル部は、前記装置本体に対して一方向に傾斜した状態に取り付けてあり、その取付部には、前記装置本体の平面視における前記ハンドル部の取付方向を変更自在な取付方向変更手段が設けてあるところにある。
【０００７】
本発明の第１の特徴構成によれば、前記ガード部材が前記シート材と前記平坦面との間に位置する状態に当該シート切断装置をセットして、前記ハンドル部によって装置本体を切断方向に沿って進行操作することで、前記平坦面を切ったり傷つけたりしない状態でシート材を前記切断刃で切断することが可能となる。
即ち、ガード部材を備えてあるから、シート材の切断時には、前記シート材と前記平坦面との間でガード部材が平坦面を切断刃からガードすることができ、その状態のままシート材の切断を行うことができる。
従って、従来のように、シート材の切断時に、下敷き部材を平坦面とシート材との間に予め配置しておいたり、シート材の切断の後、その下敷き部材を抜き取ったりする必要が無くなり、シート材の切断作業を効率よく実施することが可能となる。
そして、このような作用効果は、切断距離が長い場合でも同様に期待できるから、連続して切断作業を実施することができ、従来に比べて、より切断作業の効率の向上を図ることが可能となる。
【０００９】
また、前記ガード部材を、前記平坦面上に面接当自在な板状部材で構成してあるから、当該シート切断装置から平坦面上に作用する荷重（装置の重量や操作の時に加わる力等）を、板状部材の平面の広い範囲に分散して伝えることができる。
従って、前記平坦面に対する応力集中を防止でき、前記平坦面への傷つけをより一層防止し易くなる。更には、平坦面に対する単位面積当たりの接当圧を少なくでき、当該シート切断装置を平坦面上を滑らしてスムースに摺動させることが可能となり、切断操作力をより低減でき、小さい力でシート材を切断することが可能となる。
更には、前記ガード部材が、平坦面上に面接当した状態で切断方向に沿って移動できるから、装置本体にそれぞれ一体的に設けられている切断刃に関しても同様に、平坦面に沿って安定した姿勢を維持した状態でシート材の切断を実施することが可能となる。その結果、切断方向が狂いにくく、且つ、より好ましい状態での切断を叶えることが可能となる。
また、板状部材で構成されているガード部材が、切断方向に沿って細長いから、平坦面上を当該シート切断装置が移動する際に、平坦面上に多少の起伏があっても、その起伏に沿って乗り越えやすくなり、あたかも「スキー板」のような挙動によって、平坦面上の移動をよりスムースに行うことが可能となる。
【００１１】
また、平坦面上の局部的な起伏があったとしても、前記傾斜面部によってその起伏を乗り越えやすくなり、当該シート切断装置をよりスムースに切断方向に沿って移動させることが可能となる。
【００１３】
尚、前記切断刃は、上下に延びる刃の稜線が下方側ほど切断方向前方側に位置する傾斜姿勢で、前記装置本体に対して取り付けてあれば、切断刃の稜線が切断方向に向かって斜め上方を向く姿勢となるから、切断方向に移動させるに伴って、対象となるシート材を、平坦面から浮かせながら切断することが可能となり、例えば、ガード部材が、切断刃より前方に位置しているような場合に、ガード部材の上にシート材が被さり難くでき、シート材との摩擦抵抗の少ない状態で切断方向に進行させることが可能となる。
即ち、スムースに切断操作を行うことが可能となる。
【００１５】
また、前記シート材の切断時に、前記シート材が上昇するのを前記切断刃の上側で阻止する上昇阻止部が設けてあれば、シート材が切断刃の上に被さって切断不能な状態になるのを防止でき、切断方向に移動させる過程で、シート材を切断刃に対して誘導して、より確実な切断を叶えることが可能となる。
【００１７】
また、本発明の特徴構成によれば、ハンドル部を装置本体に対して傾斜した状態に取り付けてあるから、ハンドル部を握った状態で平坦面側に装置本体を押し付けた状態で切断方向へ移動させ易く、当該シート切断装置のシート材切断姿勢を安定したものとして、より好ましい状態でのシート材切断を叶えることが可能となる。
また、前記取付部に取付方向変更手段を設けてあるので、操作する人が操作しやすい方向にハンドル部の傾斜姿勢を変更することができ、より操作性を向上させることができる。ここで言う操作しやすい方向とは、一例としては、操作する人の利き腕に合った方向であったり、切断経路の側方に障害物（例えば、立ち上がり壁等）がある場合はそれを避けた方向を意味する。
本発明の第２の特徴構成は、平坦面上に重ねた状態のシート材を切断自在な切断刃を、装置本体に設けてあるシート切断装置であって、前記切断刃による前記シート材の切断方向に沿って前記装置本体を進行操作して前記切断刃で前記シート材を切断させるハンドル部を、前記装置本体と一体的に設けてあり、前記装置本体には、前記切断刃によるシート材の切断時に前記シート材と前記平坦面との間に位置することで前記平坦面を切断刃からガードするガード部材が一体に設けてあり、前記ガード部材は、前記切断方向に沿って細長く、且つ、前記平坦面上に面接当自在な板状部材で構成してあると共に、前記切断方向での先端部に、下面が先端側ほど上がった傾斜面部を形成してあり、前記ガード部材より上方に離間させて、前記ガード部材より幅広の板部が設けてあり、前記板部の側縁部の端面部には、接当物に対する摩擦軽減材が設けてあるところにある。
【発明を実施するための最良の形態】
【００１８】
以下に本発明の実施の形態を図面に基づいて説明する。尚、図面において従来例と同一の符号で表示した部分は、同一又は相当の部分を示している。
【００１９】
図１は、本発明のシート切断装置の一実施形態品を示すもので、ここに説明するシート切断装置Ｋは、例えば、建物における屋上に敷設する防水シートや、プールの内面に敷設する防水シート等のシート材を切断するのに適した仕様で構成されている。
勿論、切断対象のシート材は、上述のような状況に設置される防水シートに限るものではなく、他の箇所に設置される防水シートであったり、全く異なる環境下で切断される他のシート材であってもよく、それらを総称してシート材という。
【００２０】
図３は、屋上のパラペット部を示すもので、屋上スラブ１の外縁部分に立ち上がり壁２が一体に形成されている。
そして、屋上スラブ１上には、平坦なスラブ面に沿わせてスラブ防水シート３が敷設されている。従って、本発明においていう平坦面４とは、当該実施形態においては、このスラブ防水シート３の表面を指す。但し、平坦面４といえども、多少の起伏や、スラブ防水シート３どうしの重ね継手の盛り上がり等は存在するもので、それらを含めて平坦面と総称している。
一方、立ち上がり壁２の内周壁面にも壁防水シート（シート材の一例）Ｓが接着してあり、前記スラブ防水シート３の端縁部上に、壁防水シートＳの下縁部を接着一体化することで、屋上スラブ１と立ち上がり壁２とに渡った一連の防水層が形成されている。
当該シート切断装置Ｋは、スラブ防水シート３上に壁防水シートＳを接着する前に、下縁部を切り揃えるのに使用することができる。
即ち、図１、図２に示すように、スラブ防水シート３の平坦面４上に、壁防水シートＳを重ねた状態でその壁防水シートＳを切断して、スラブ防水シート３に対する端部重なり幅寸法Ｂが所定の寸法となるように切り揃えるものである。従って、壁防水シートＳの切断ラインは、平面視において立ち上がり壁２の内周面ラインに対して前記端部重なり幅寸法Ｂだけ離間した平行線の位置に設定される。
【００２１】
次に、シート切断装置Ｋについて説明する。
シート切断装置Ｋは、金属製で、図４、図５に示すように、上下に隙間を空けて並設された一対の板部５Ａ、５Ｃと、それら板部５Ａ、５Ｃどうしを一体に連結する連結部５Ｂとを備えた装置本体５、及び、切断刃６、及び、ハンドル部７を設けて構成してある。
【００２２】
前記両板部５Ａ、５Ｃの内、下方の板部（ガード部材の一例）５Ｃは、図に示すように、金属帯板で構成してあり、帯長手方向がシート材の切断方向として設定されている。
そして、下方の板部５Ｃにおける前記切断方向の後端側で、前記連結部５Ｂを介して前記上方の板部５Ａと一体化が図られている。
また、切断方向の前端側における幅方向中間部には、前記切断刃６の先端部が嵌入自在な凹溝８が形成してあり、前記壁防水シートＳの切断時には、この凹溝８内に切断刃６の先端部が嵌入できる。この凹溝８内に切断刃６の先端を嵌入させた状態で切断すると、切断刃６の上下両端部が支持されることで撓み難くなり、安定した姿勢で切断を進めることができ、予定した切断ラインに沿って真っ直ぐに切ることが可能となる。
また、切断刃６と前記スラブ防水シート３との間に、当該下方の板部５Ｃが位置していることで、スラブ防水シート３の平坦面４を切断刃６からガードすることができる。因みに、当該、下方の板部５Ｃによって、本発明に係わるガード部材が構成されている。
一方、下方の板部５Ｃの下面には、前記スラブ防水シート３上を滑らせて移動する際の摩擦抵抗を軽減できるように、例えば、テフロン（商品名）等の摩擦軽減材ｍを貼着してある。また、下方の板部５Ｃの切断方向の前端部は、下面が先端側ほど上がった傾斜面部９として形成してあり、前記スラブ防水シート３上を滑らせて切断方向に移動する際に、スラブ防水シート３の重ね継手の盛り上がり部分や、多少の起伏等があっても、前記傾斜面部９によって乗り越えていけるように構成されている。
【００２３】
前記連結部５Ｂは、断面「Ｈ」字形状の金属部材で、下方のフランジ部が前記下方の板部５Ｃの幅方向中央部に接合してあり、上部のフランジ部が前記上方の板部５Ａの幅方向中央部に接合してある。そして、ウェブの高さ寸法ｈは、前記スラブ防水シート３の厚み寸法より大きく設定してあり、当該シート切断装置Ｋを切断方向に沿って移動しながら前記スラブ防水シート３を切断するに伴って、スラブ防水シート３が両板部５Ａ、５Ｃ間をスムースに移動できると共に、シートの切断された部分がウェブの両側方をスムースに通過できるように構成されている。
【００２４】
前記上方の板部５Ａは、前記下方の板部５Ｃより長さが短く、且つ、幅広の金属帯板で構成してあり、帯長手方向がシート材の切断方向として設定されている（図５参照）。
そして、上方の板部５Ａにおける切断方向の後端側で、前記連結部５Ｂを介して前記下方の板部５Ｃと一体化が図られている。
また、切断方向の前端側における幅方向中間部には、前記切断刃６の刃取付部１０が設けてあり、図に示すように、別体の切断刃６を上方から下方へ貫通状態に挿通させてボルト固定できるように構成されている。
そして、この刃取付部１０は、挿通した切断刃６の刃の稜線が下方側ほど切断方向前方側に位置する傾斜姿勢となるように設計されている。従って、前記下方の板部５Ｃの凹溝８の位置より後方側に刃取付部１０の刃挿通部が配置されている。
前記上下の板部５Ａ、５Ｃ間に壁防水シートＳを位置させて、切断方向に沿って当該装置本体５を移動させると、前記切断刃６によって壁防水シートＳを切断することができる。その際、切断刃６の姿勢が、上述のとおり上向きの傾斜姿勢となっているので、壁防水シートＳを、下方のスラブ防水シート３より浮かせながら切断することができ、その結果、両シート間に隙間を形成して、前記下方の板部５Ｃが進入しやすくすることができ、切断方向への装置本体５のスライド抵抗を低減することが可能となる。
また、上方の板部５Ａの側縁部の端面部には、下方の板部５Ｃの下面に貼着してある摩擦軽減材ｍと同様に、摩擦軽減材ｍを貼着してある（図５参照）。これによって、上方の板部５Ａの側縁部を、前記立ち上がり壁２の表面に重なっている壁防水シートＳ表面に沿わせて切断方向に移動させることで、立ち上がり壁２を切断移動のガイドとして利用する際に、スムースに移動することができるようになる。
尚、上方の板部５Ａは、前記壁防水シートＳの切断時に、切断刃Ｓによって浮かせたシート材がそのまま上昇し続けるのを阻止する働きもあり、シート材を切断刃Ｓの好ましい切断位置から逸脱しないように抑止している。当該上方の板部５Ａによって、本発明に係わる上昇阻止部が構成されている。
また、上方の板部５Ａにおける前記連結部５Ｂとの連結箇所と、前記切断刃６の刃取付部１０との間には、前記ハンドル部７が取り付けてある。
【００２５】
前記ハンドル部７は、前記上方の板部５Ａに対して切断方向である前方側に傾斜した状態に取り付けてあり、その取付部１１には、前記ハンドル部７の傾斜方向を右前方、又は、左前方に変更自在な取付方向変更手段Ｔが設けてある。
具体的には、ハンドル部７の下端部に、円板形状の取付板１１ａが形成してあり、取付板１１ａの下面中央部には、円形断面の回転軸部１１ｂが下方へ突出状態に設けてある。そして、取付板１１ａには、固定用ボルト１１ｃが螺合してある。一方、取付部１１に対応する上方の板部５Ａの部分には、前記回転軸部１１ｂが回転自在な状態に嵌入自在な嵌入穴１１ｄが形成してあると共に、前記固定用ボルト１１ｃが螺合するボルト穴１１ｅが形成してある。
そして、ボルト穴１１ｅは、ハンドル部７の上記各姿勢によって固定できるように、三つ形成してある。これらのボルト穴１１ｅの内、一つを選択して固定用ボルト１１ｃを螺合固定することで、ハンドル部７を、前方傾斜姿勢、又は、右前方傾斜姿勢、又は、左前方傾斜姿勢にセットすることができる。前記複数のボルト穴１１ｅと、固定用ボルト１１ｃとで、前記取付方向変更手段Ｔが構成されている。
【００２６】
当該シート切断装置によれば、前記下方の板部５Ｃが前記壁防水シートＳと前記平坦面４との間に位置する状態にセットして、前記ハンドル部７によって装置本体５を切断方向に沿って進行操作することで、前記スラブ防水シート３を切ったり傷つけたりしない状態で壁防水シートＳを前記切断刃６で切断することが可能となる。
従って、従来のように、シート材の切断時に、下敷き部材をシート材の下に予め配置しておいたり、切断の後に下敷き部材を抜き取ったりする必要が無くなり、シート材の切断作業を効率よく実施することが可能となる。
【００２７】
〔別実施形態〕
以下に他の実施の形態を説明する。
【００２８】
〈１〉  当該シート切断装置は、先の実施形態で説明したものに限るものではなく、各構成の材質や形状変更が可能である。
また、切断対象のシート材は、防水シートに限るものではなく、防水以外の用途として形成されているものであってもよい。また、材質は、紙材や布材や合成樹脂材やその他の材料の単独又は複合によって形成したものであってもよく、それらを含めてシート材と総称する。
そして、当該シート切断装置を載置した状態で移動させる平坦面としては、先の実施形態で説明した防水シートによって構成されたものに限らず、他用途のシート材であったり、もしくは、シート材以外にも、下地そのものであってもよく、それらを含めて、平坦面という。
〈２〉  当該シート切断装置Ｋは、先の実施形態で説明したように、切断刃６を取り付けた上方の板部５Ａと、間隔をあけて下方に位置する下方の板部５Ｃとを備えた構成に限るものではない。
その別実施例の一例は、例えば、切断刃６を下方の板部５Ｃに対して、上方へ突出する状態に一体的に取り付けてあってもよい（例えば、図６参照）。
また、上方の板部５Ａは、必ずしも設けておかなくてもよい。
更には、上方の板部５Ａに関する形状変更も可能で、板状に形成することに限るものではない。
一方、切断刃６の姿勢は、先の実施形態で説明したように、上下に延びる刃の稜線が下方側ほど切断方向前方側に位置する傾斜姿勢として設けるものに限らず、前記稜線が直立する姿勢であったり、稜線が上方側ほど切断方向前方側に位置する傾斜姿勢として設けるものであってもよい（例えば、図６、図７参照）。
〈３〉  前記ハンドル部７は、先の実施形態で説明したように、前記装置本体５に対して一方向に傾斜した状態に取り付けてあるものに限らず、直立状態に取り付けてあってもよい。
また、傾斜した状態に取り付ける場合、必ずしも傾斜方向を変更自在な取付方向変更手段Ｔを設けてなくてもよい。
そして、取付方向変更手段Ｔを設ける場合、先の実施形態で説明したように、上方の板部５Ａに設けた複数のボルト穴１１ｅと、前記取付板１１ａに設けた固定用ボルト１１ｃとで構成することに限らず、図８に示すように、ボルト穴１１ｅに替えて、挿通できる上方の板部５Ａに形成した円弧軌跡上の長穴１１ｆと固定用ナット１１ｇとを設け、前記固定用ボルト１１ｃを長穴１１ｆに挿通させて、円弧軌跡上の任意の位置でハンドル部７を固定して傾斜方向を変更固定できるように構成するものであってもよい。
〈４〉  前記傾斜面部９は、先の実施形態のように、下方の板部５Ｃの切断方向の前端部下面をソリ型に形成したものに限らず、例えば、図９に示すように、帯板状の前記下方の板部５Ｃの前端縁部に、丸棒Ｒを沿わせて一体化し、その丸棒Ｒの外周面によって当該傾斜面部９を構成するものであってもよい。この場合、前記下方の板部５Ｃの削り加工等を省略でき、より簡単に傾斜面部を形成することができる。
〈５〉  当該シート切断装置Ｋに関する先の説明では、屋上スラブ上に載置して使用する形態を説明したから、その位置関係に伴って上下という表現を使用しているが、例えば、壁の表面に沿わせてシート切断を行う場合は、上下方向は横方向に変化するものであり、本装置の使用形態は、水平面上に載置して使用するものばかりに限定されない。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３０】
【図１】シート切断装置の使用状態を示す斜視図
【図２】シート切断装置の使用状態を示す断面図
【図３】防水シートの設置状態を示す断面図
【図４】シート切断装置の側面視一部切欠き断面図
【図５】シート切断装置の上面図
【図６】別実施形態のシート切断装置の要部側面図
【図７】別実施形態のシート切断装置の側面視要部断面図
【図８】別実施形態のシート切断装置の要部側面図と上面図
【図９】別実施形態のシート切断装置の要部側面図
【図１０】従来のシート切断装置を示す説明図
【図１１】従来のシート切断装置を示す説明図
【符号の説明】
【００３１】
４      平坦面
５      装置本体
５Ａ    上方の板部（上側阻止部の一例）
５Ｃ    下方の板部（ガード部材の一例）
６      切断刃
７      ハンドル部
９      傾斜面部
１１    取付部
Ｓ      壁防水シート（シート材の一例）
Ｔ      取付方向変更手段
【図１】
0005221962.tif 000002
【図２】
0005221962.tif 000003
【図３】
0005221962.tif 000004
【図４】
0005221962.tif 000005
【図５】
0005221962.tif 000006
【図６】
0005221962.tif 000007
【図７】
0005221962.tif 000008
【図８】
0005221962.tif 000009
【図９】
0005221962.tif 000010
【図１０】
0005221962.tif 000011
【図１１】
0005221962.tif 000012